(57)【要約】【課題】  杖２と傘３を結合して片手だけで使用できるとともに、市販されている汎用の杖２を用いることで簡単な構成で、安価な杖と傘の結合具１を提供することを課題とする。【解決手段】  連結部材４に設けた第１の穴６に杖の軸部3aを固定し、前記連結部材４の前記第１の穴６と異なる位置に設けた第２の穴７に棹体５の一端を取付け、前記棹体５の他端に傘の柄3aを係止する。また、前記棹体５の一端に軸直角方向に２つの横穴８,９を設け、前記横穴８,９に止め棒11,12を挿通する。さらに、前記止め棒12を紐体13により前記連結部材４に結合すると共に、前記連結部材４に前記止め棒12を保持する保持穴14を設けて、上記の課題を解決する。【選択図】  図１
0003110670.tif 000002
【実用新案登録請求の範囲】
【請求項１】
連結部材に設けた第１の穴に杖の軸部を固定し、前記連結部材の前記第１の穴と異なる位置に設けた第２の穴に棹体の一端を取付け、前記棹体の他端に傘の柄を係止することを特徴とする杖と傘の結合具。
【請求項２】
前記連結部材が平板からなることを特徴とする請求項１記載の杖と傘の結合具。
【請求項３】
前記棹体がパイプであることを特徴とする請求項１または２記載の杖と傘の結合具。
【請求項４】
前記棹体の一端に軸直角方向に２つの横穴を設け、前記横穴に止め棒を挿通することを特徴とする請求項１〜３のいずれか１項に記載の杖と傘の結合具。
【請求項５】
前記止め棒を紐体により前記連結部材に結合すると共に、前記連結部材に前記止め棒を保持する保持穴を設けたことを特徴とする請求項４記載の杖と傘の結合具。
【請求項６】
前記杖の軸部に結束具を設けたことを特徴とする請求項１〜５のいずれか１項に記載の杖と傘の結合具。
【考案の詳細な説明】
【技術分野】
【０００１】
本考案は、老人や身体障害者にとって好都合な杖と傘の結合具に関するものである。
【背景技術】
【０００２】
人間誰しも加齢とともに足腰が弱ってくることは避けられない。もちろん個人差はあるものの、老人にとって杖は歩行補助具として有益なものである。したがって、屋外の歩行に際して杖を必要とする老人は少なくない。また、老人でなくても身体に障害を持つ人にとっても杖は有益なものである。
【０００３】
ところで、晴天の日であれば片手で杖を持って歩行することに困難性はない。たとえ片手に障害を持つ人や、片手に買い物袋を持っている場合であっても、自由の利く他方の手で杖を把持して使用することができるからである。しかし、雨天の日に屋外を歩行するとなると事情はまったく異なる。すなわち、歩行には杖と傘を必要とする。しかし、片手に障害を有する人にとって自由になるのは他の片手だけであり、片手だけで杖と傘を把持して使用することは極めて困難であった。また、両手が自由である老人であっても、片手で杖を把持し、他の片手で傘を把持して歩行することは、万一の場合の歩行安全性に欠けることになる。すなわち、雨天の日は一般的に足場が悪くなり、スリップ等により転倒しそうになることも少なくない。その際、片手で杖を把持し、他の片手で傘を把持していると、転倒しそうになったときにバランスをとって体制を立て直すことができない。その結果、転倒してしまって大きな怪我をすることもある。
【考案の開示】
【考案が解決しようとする課題】
【０００４】
上記した事情から、従来技術においても杖と傘を結合して、片手だけで使用することができる杖が提案されている。しかし、それらは市販されている汎用の杖を使用するものではなく、専用に製作された特殊の杖を用いるものであって、高価にならざるを得なかった。
【０００５】
そこで、本考案は、杖と傘を結合して片手だけで使用できるとともに、市販されている汎用の杖を用いることで簡単な構成で、安価な杖と傘の結合具を提供することを目的とする。
【課題を解決するための手段】
【０００６】
請求項１記載の考案は、連結部材に設けた第１の穴に杖の軸部を固定し、前記連結部材の前記第１の穴と異なる位置に設けた第２の穴に棹体の一端を取付け、前記棹体の他端に傘の柄を係止することを特徴とする杖と傘の結合具である。
【０００７】
請求項２記載の考案は、請求項１記載の杖と傘の結合具において、前記連結部材が平板からなることを特徴とするものである。
【０００８】
請求項３記載の考案は、請求項１または２記載の杖と傘の結合具において、前記棹体がパイプであることを特徴とするものである。
【０００９】
請求項４記載の考案は、請求項１〜３のいずれか１項に記載の杖と傘の結合具において、前記棹体の一端に軸直角方向に２つの横穴を設け、前記横穴に止め棒を挿通することを特徴とするものである。
【００１０】
請求項５記載の考案は、請求項４記載の杖と傘の結合具において、前記止め棒を紐体により前記連結部材に結合すると共に、前記連結部材に前記止め棒を保持する保持穴を設けたことを特徴とするものである。
【００１１】
請求項６記載の考案は、請求項１〜５のいずれか１項に記載の杖と傘の結合具において、前記杖の軸部に結束具を設けたことを特徴とするものである。
【考案の効果】
【００１２】
請求項１記載の杖と傘の結合具によれば、杖と傘を容易に結合することができる。したがって、足腰が弱り杖を必要とする老人や身体に障害を持つ人であっても、片手だけで杖と傘を使用することができる。また、杖に特別な加工を施す必要がなく、市販されている汎用の杖をそのまま用いることができる。
【００１３】
請求項２記載の杖と傘の結合具によれば、安価で、軽量、かつ取扱性に優れた杖と傘の結合具を実現できる。
【００１４】
請求項３記載の杖と傘の結合具によれば、パイプの中空部に傘の柄を挿入することにより、容易に傘を棹体に係止できる。
【００１５】
請求項４記載の杖と傘の結合具によれば、棹体の連結部材への係止が安定化する。したがって、風雨が強い場合であっても安心して杖と傘を使用することが可能となる。
【００１６】
請求項５記載の杖と傘の結合具によれば、止め棒の落下や紛失を防止できる。
【００１７】
請求項６記載の杖と傘の結合具によれば、杖の軸部に棹体と傘を容易に結束できる。したがって、雨が止んで傘の使用が不必要になったら傘を畳んで杖の軸部に結束することができ、片手だけで杖と傘を持ち運ぶことができる。
【考案を実施するための最良の形態】
【００１８】
以下、本法案の実施形態について図面を参照しながら説明する。図１は、本考案による杖と傘の結合具１を用いて、杖２と傘３を片手で使用している状態を示す略図である。この杖と傘の結合具１は、連結部材４と棹体５を主要部材としている。具体的には、連結部材４に設けた第１の穴６に杖の軸部2aを固定し、前記連結部材４の前記第１の穴６と異なる位置に設けた第２の穴７に棹体５の一端を取付け、前記棹体５の他端に傘の柄3aを係止するものである。
【００１９】
図２は、本考案による杖と傘の結合具１の構造を説明するためのものであり、連結部材４に設けた第１の穴６と第２の穴７の中心を結ぶ線を含む断面を示す。連結部材４は平板からなり、離間した位置に第１の穴６と第２の穴７が設けられている。連結部材４は合板等の木材を用いて製作すると、軽くて剛性の高いものを実現できるが、アルミニウム等の金属材料や、アクリル等の合成樹脂材料を用いて製作することもできる。第１の穴６には杖の軸部2aが挿通され、前記軸部2aの適所においてエポキシ樹脂等を用いて固定される。また、第２の穴７には棹体５の一端5aが取り付けられる。
【００２０】
棹体５は、中空のパイプ材からなり、通常はアルミニウム材のパイプが用いられる。アルミニウム材のパイプは軽くて丈夫であるし、種々の内外径を有する標準パイプが市販されていることから、容易に入手できるという利点もある。棹体５の一端5aには軸直角方向に２つの横穴８,９が設けられており、２つの横穴８,９は相互に９０度の位相差を有している。２つの横穴８,９のうち、一方の横穴８には止め棒11が固定されており、端部寄りの他の横穴９には他の止め棒12が着脱自在にして装着される。すなわち、杖２と傘３を結合具１により結合して使用する際に、棹体５の一端5aを連結部材４に設けた第２の穴７に通した後、端部寄りの他の横穴９に他の止め棒12が装着される。その結果、棹体５は連結部材４へ確実に取り付けられ、棹体５に外力が作用しても棹体５が連結部材４から脱落するのを防止できる。棹体５の他端5b、すなわち棹体５の上端には傘の柄3aが取り付けられる。一般に傘の柄3aはＪの字形状をしたものが多いが、Ｊの字形状をした柄のうち、予め曲がった部分を切断して直線部だけを残すように加工しておく。また、パイプである棹体５の内径寸法を傘の柄3aの外径寸法と適合するように調整しておく。このようにすると、傘の柄3aを棹体５の上端の内径部に挿入するだけで傘３を棹体５に係止することができる。なお、傘の柄3aには傘３を開くための操作突起3bが標準的に備わっているため、該操作突起3bが棹体５の上端に当接することにより、傘の柄3aが過分にパイプ５内に入り込むのを防止できる。
【００２１】
図３は、連結部材４と杖２の固定状態および連結部材４と棹体５の係止状態を示すものであり、図２におけるＡ−Ａ矢視図である。杖２は連結部材４に設けられた第１の穴６に接着剤を用いて固定されている。また、棹体５の一端は連結部材４に設けた第２の穴７に係止され、９０度の位相差を有して配置された２つの横穴８,９にそれぞれ止め棒11,12が装着されている。ここで、２本の止め棒11,12のうち、棹体５の端部に近い横穴９に装着される止め棒12は着脱する必要があることから、着脱時や不使用時に紛失する可能性がある。そこで、止め棒12の紛失を防止するため、止め棒12を紐体13により連結部材４に結合している。なお、連結部材４に設けた保持穴14は、棹体５を連結部材４に係止しない場合に止め棒12を係止しておくためのものである。
【００２２】
上記に説明したようにして、本考案による杖と傘の結合具１を用いて杖２と傘３を結合できる。そして、図１に示したようにして片手だけで杖２と傘３を使用することができる。片手だけで杖２と傘３を使用できるので、片手に障害があって両手を使えない身体障害者であっても、雨天の日において安心して外出することができる。また、健常者であっても、片手に買い物袋等を持って雨天の日に歩行する際にも、杖２と傘３を片手で取扱うことができるので便利である。
【００２３】
次に、本考案による杖と傘の結合具１を用いて杖２と傘３を結合し、雨天の日に外出した後、雨が上がって晴天になった場合について説明する。日傘ならともかく、雨が上がっても雨傘を使用しなければならないというのでは不便であるし、見た目にも格好が悪い。そこで、雨が上がって晴天になったら傘３を畳んで杖２と傘３を一体化できれば便利である。本考案による杖と傘の結合具１は傘３を開いた状態のみならず、傘３を畳んだ状態においても杖２と傘３を結合して一体化できる利点がある。
【００２４】
杖２には、図２に詳細を示すように、杖２の軸部2aの途上に結束具15が設けられている。具体的には布またはビニール製の帯状をした結束具15の一端15aが杖２の軸部2aの途上に固定されている。そして、帯状をした結束具15の両端にはマジックテープ（登録商標）16が取り付けられている。図４は結束具15を用いて棹体５と傘３を杖の軸部2aに結束して一体化した状態を示している。このように杖２と傘３を杖の軸部2aに一体化すると、杖２はそのまま杖２本来の機能である歩行補助具として使用できる。したがって、雨天の日に外出した後、雨があがって晴天になったら、棹体５と傘３を杖の軸部2aに結束して一体化すれば、そのまま杖２を歩行補助具として使用することができる。
【００２５】
なお、棹体５と傘３を杖の軸部2aに結束するには、図に示す状態において、先ず傘の柄3aを棹体５から抜いて取り外し、傘３を折り畳む。次に、棹体５の下端部に近い止め棒12を横穴９から抜いて連結部材４に設けられた保持穴14に係止する。それから棹体５を上方に持ち上げれば、棹体５は連結部材４から取り外すことができる。その後、折り畳んだ傘３と棹体５を結束具15により杖の軸部3aに結束すれば作業は完了する。すなわち、図４に示す状態になる。
【００２６】
以上、本考案を実施例に基づいて説明をしたが、本考案は種々の変形実施をすることができる。たとえば、上記実施例においては、棹体５の一端5aを連結部材４に取り付け、棹体５の抜け止めとして２本の止め棒11,12を用いたが、棹体５の外周部にねじを設け、２つのナットを用いて連結部材４を挟み込むことにより固定することもできる。
【図面の簡単な説明】
【００２７】
【図１】本考案による杖と傘の結合具の使用状態を示す外観図である。
【図２】本考案による杖と傘の結合具の実施例を示す断面図である。
【図３】図２中のＡ−Ａ矢視図である。
【図４】傘と棹体を杖の軸部に結束した状態を示す斜視図である。
【符号の説明】
【００２８】
１  杖と傘の結合具
２  軸
2a  軸部
３  杖
3a  傘の柄
４  連結部材（平板）
５  棹体（パイプ）
６  第１の穴
７  第２の穴
８，９  横穴
11，12  止棒
13  紐体
14  保持穴
15  結束具
【図１】
0003110670.tif 000003
【図２】
0003110670.tif 000004
【図３】
0003110670.tif 000005
【図４】
0003110670.tif 000006